(57)【特許請求の範囲】
【請求項１】
下端位置から上端位置へ至る上昇移動と、前記上端位置から下端位置へと逆方向にたどる下降移動とを、ガイド部に沿って行う昇降体を用いて演出作動を行う遊技機用可動演出装置であって、
駆動モータと、
前記駆動モータにより回転駆動される昇降用歯車と、
前記昇降用歯車の回転に連動するピニオンと、
前記ピニオンに歯合するラックと、
一端が固定され、他端が前記ラックに取り付けられ、前記ラックの移動により伸縮するバネと、
滑車を少なくとも１個有し、前記昇降体の重量が張力として作用するように前記滑車に巻き掛けられるとともに一端部が前記昇降用歯車に対して固定され他端部が前記昇降体に固定された巻掛部材と、この巻掛部材を巻き取るための巻取具と、を含む滑車機構と、を備え、
前記駆動モータの回転によって、前記巻掛部材が前記巻取具に巻き取られるとともに、前記バネの弾性復元力が前記ラックに働き、前記昇降用歯車の回転速度を加速させながら前記昇降体が上昇することを特徴とする遊技機用可動演出装置。
【請求項２】
前記昇降用歯車と巻取具が一体に構成された請求項１の遊技機用可動演出装置。
【請求項３】
前記巻掛部材が垂直方向に張設され垂直方向に移動する請求項１の遊技機用可動演出装置。
【発明の詳細な説明】
【技術分野】
【０００１】
本発明は、パチンコ遊技機等の遊技の演出に用いられる、遊技機用昇降演出装置に関する。
【背景技術】
【０００２】
従来、ワイヤを用いて装飾体を昇降させて趣向性を高めるものは、特許文献１ないし４に記載の通りの発明が提案されている。
【０００３】
特許文献１の発明は、動力伝達機構に対する演出用可動部品の配置の自由度を広げ、動力伝達機構の大型化を抑えるため、演出用動力伝達機構１０は、横軸回りに回転自在に支持されてモータの動力を受けて回転する従動プーリ３１と、従動プーリ３１に一端部が接続されて巻かれ従動プーリ３１から繰り出された他端側に演出用可動部品が接続されるワイヤ３３と、従動プーリ３１の上側の周溝の上方に配置されて周溝幅方向に延びる面部を有し、従動プーリ３１から離されるワイヤ３３の他端側を面部に掛け回して上方へ延ばす上方案内部と、上方案内部の上方に設けられ、従動プーリ３１の回転軸に対して平面視において直交する方向に延びる回転軸回りに回転自在に支持され、上方案内部から延びるワイヤ３３を巻いて演出用可動部品の上方側に延ばす方向変換プーリ３４と、方向変換プーリ３４から延びるワイヤ３３を演出用可動部品側へ繰り出す案内プーリ３５を備える。
【０００４】
特許文献２の発明は、動滑車と定滑車及び動滑車に当接又は当接解除するストッパとを用いることで、演出用可動体の可動領域を向上させるとともに様々な演出を可能にするため、動滑車１１の溝部と定滑車１２の溝部にワイヤ１３が摺接されるように配置され、動滑車１１はストッパ４１により動滑車支持軸１６を支えられ（係止姿勢）、係止姿勢のまま昇降移動可能であり、また、第一モータ１１０が駆動することでストッパ４１が外される（係止解除姿勢）。
【０００５】
特許文献３の発明は、構造が単純で安価につく遊技機の可動装飾装置を提供するため、遊技面で装飾部材Ｂ１，Ｂ２を昇降させる遊技機の可動装飾装置Ａに、駆動力伝達ギア１３と、駆動力伝達ギア１３を回転させる駆動モータ１２と、回転ドラム１４と、基端が回転ドラム１４に連結され先端が装飾部材Ｂ１，Ｂ２に連結されたワイヤ２３と、上昇時係合手段と、巻上保持時係合手段と、係合解除手段とを設け、回転ドラム１４のドラム側係合部１４ｉと駆動力伝達ギア１３のギア側係合部１３ｆで上昇時係合手段を構成し、回転ドラム１４の停止用凹部１４ｆと、ストッパ１５と、ばね１７で巻上保持時係合手段を構成し、駆動力伝達ギア１３の係合解除片１３ｇで係合解除手段を構成した。
【０００６】
特許文献４の発明は、弾球遊技機において可動役物の動作確実性を簡易な構成で担保するため、巻上歯車１７２や駆動歯車１７８、ワイヤ１８０といった昇降機構により可動役物１４０は昇降制御され、基準検出センサ１８４は、可動役物１４０が基準位置に到達したことを検出するセンサであり、計測処理として、あらかじめ、降下完了位置から基準位置まで可動役物１４０を上昇させるのに要するステッピングモータのステップ数を基準上昇駆動量として計測し、遊技実行中において、可動役物１４０を上昇させるときには、この基準上昇駆動量分だけステッピングモータを駆動することにより、可動役物１４０を基準位置まで上昇させる。
【先行技術文献】
【特許文献】
【０００７】
【特許文献１】特開2011-130803号公報
【特許文献２】特開2011-194039号公報
【特許文献３】特開2012-110406号公報
【特許文献４】特開2012-192240号公報
【発明の概要】
【発明が解決しようとする課題】
【０００８】
しかしながら、モータを高速で回転させ可動体の速度を上げると、モータに過剰な負荷がかかり、モータが故障しやすくなったり、モータが抜けて昇降機構全体が機能しない原因になるという問題があり、通常の緩速度で遊技の演出をせざるを得ず、装飾体の昇降による遊技の趣向性は未だ十分なものではなかった。そこで、本発明は、昇降体の昇降速度を高速化することにより遊技の趣向性を高めることを課題とする。
【課題を解決するための手段】
【０００９】
本発明は、下端位置から上端位置へ至る上昇移動と、前記上端位置から下端位置へと逆方向にたどる下降移動とを、ガイド部に沿って行う昇降体を用いて演出作動を行う遊技機用可動演出装置であって、駆動モータと、前記駆動モータにより回転駆動される昇降用歯車と、前記昇降用歯車の回転に連動するピニオンと、前記ピニオンに歯合するラックと、一端が固定され、他端が前記ラックに取り付けられ、前記ラックの移動により伸縮するバネと、滑車を少なくとも１個有し、前記昇降体の重量が張力として作用するように前記滑車に巻き掛けられるとともに一端部が前記昇降用歯車に対して固定され他端部が前記昇降体に固定された巻掛部材と、この巻掛部材を巻き取るための巻取具と、を含む滑車機構と、を備えている。
【００１０】
前記駆動モータの回転によって、前記巻掛部材が前記巻取具に巻き取られるとともに、前記バネの復元力が前記ラックに働き、前記昇降用歯車の回転速度を加速させながら前記昇降体が上昇することを特徴とする遊技機用可動演出装置である。
【００１１】
本発明は、その昇降体が、駆動モータにより巻掛部材が巻き取られる際の引張力とバネの弾性復元力（たとえば、伸張したバネが戻ろうとする力、あるいは圧縮されたバネが戻ろうとする力）で加速しながら上昇する発明である。駆動モータの駆動力による昇降体の上昇速度をバネの働きで援助し加速することにより、遊技の趣向性を高めるとともに、モータが高速で回転しても負荷が適正であるため、故障を防止できるという趣旨である。
【００１２】
本発明の一態様として、昇降体が上昇するときは、駆動モータで巻掛部材が巻取具に巻き取られるとともに、引張状態のバネが弾性復元力で元の状態に戻ろうとするためラックに力が働くからである。ラックはピニオンによって駆動され、昇降体の上昇量に対応してラックの移動量が設定されている。また、滑車機構は、左右対称の構成が好ましいが、単独でもよい。下端位置においては、バネは伸張状態になっており、昇降体を上げるときにバネが元に戻ろうとする弾性復元力がラックに働き、その弾性復元力がピニオンを介して昇降用歯車に伝わることで、昇降体の高速化を実現できる。ピニオンと昇降用歯車の間には加速を調整するため、変速歯車を、ピニオンと昇降用歯車との間に設けることが好ましい。
【００１３】
ここでいう遊技機には、パチンコ機、アレンジパチ機等の弾球遊技機や、スロットマシン、パチスロ機等の回胴式遊技機等が含まれる。
【００１４】
ここでいう巻掛部材は、糸、紐、綱、ワイヤ、ロープ、ワイヤロープ、ピアノ線、チェン、ベルト、ゴム等を利用できる。
【００１５】
ここでいう駆動モータは、ロータリアクチュエータ（例えばステッピングモータ）等を用いることができる。
【００１６】
前記昇降用歯車と巻取具が一体に構成されたことが好ましい。
【００１７】
前記巻掛部材が垂直方向に張設され垂直方向に移動することが好ましい。
【発明の効果】
【００１８】
本発明によれば、昇降体の動きを高速化でき、昇降体の演出効果を高めるとともに、遊技演出の幅を拡大でき、様々な演出を可能にし、遊技者の興趣が飛躍的に向上できる。また、駆動モータへの負担を軽減でき、昇降機構の故障を防止できる。
【００１９】
昇降用歯車と巻取具が一体に構成されたので、昇降機構の構造が簡素となる。
【００２０】
巻掛部材が垂直方向に張設され垂直方向に移動するので、昇降体の一層の高速化が実現できる。
【図面の簡単な説明】
【００２１】
【図１】本発明実施形態を示す遊技機用昇降演出装置１の分解斜視図である。
【図２】本発明実施形態を示す遊技機用昇降演出装置１の最降下位置を示す正面図である。
【図３】本発明実施形態を示す遊技機用昇降演出装置１の最上昇位置を示す正面図である。
【発明を実施するための形態】
【００２２】
以下、本発明の実施の形態に係る遊技機用昇降演出装置１（以下、演出装置１という。）について図１〜図３を参照して説明する。
【００２３】
本発明実施形態の演出装置１は、下端位置から上端位置へ至る上昇移動と、上端位置から下端位置へと逆方向にたどる下降移動とを、垂直に配置されたガイド部２に沿って行う昇降体３を用いて演出作動を行うものであり、駆動モータ４と、駆動モータ４により回転駆動される昇降用歯車５と、昇降用歯車５に歯合し連動する変速用歯車６と、変速用歯車６と歯合し昇降用歯車５の回転に連動するピニオン７と、ピニオン７に歯合するラック８と、一端が固定され、他端がラック８に取り付けられ、ラック８の移動により伸縮するバネ９と、複数の滑車１０を有し、昇降体３の重量が張力として作用するように滑車１０に巻き掛けられるとともに一端部が昇降用歯車５に対して固定され他端部が昇降体３に固定された巻掛部材１１と、この巻掛部材１１を巻き取るための巻取具１２と、を含む滑車機構Ｋと、を備えている。
【００２４】
これにより、駆動モータ４の回転によって、巻掛部材１１が巻取具１２に巻き取られるとともに、バネ９の復元力がラック８に働き、昇降用歯車５の回転速度を加速させながら昇降体３が上昇することを特徴とする。以下、各部を詳細に説明する。
【００２５】
図１〜図３に示す通り、ガイド部２は垂直に左右一対に設けた板材であり、昇降体３の垂直方向における昇降を案内する。ガイド部２はカバー２０とカバー２１とが合体し、ボックスを形成し、その内部に垂直な案内バー３５を複数本（ここでは２本）設けたものである。
【００２６】
昇降体３は左右のアーム３０，３１の中央に盤状体３２が取り付けられたもので、アーム３０，３１の左右端部にはスライダー３３，３４が設けられて、これらはガイド部２の案内バー３５にスライド可能に嵌め込まれていて、昇降体３がガイド部２に沿って垂直方向に昇降することができる。この案内バー３５は下端部が固定部３６に固定され、上端部が固定部３７に固定されている。盤状体３２にはＬＥＤなど表示装置を固定することが好ましい。
【００２７】
駆動モータ４は下部に設けてある。この駆動モータは、ステッピングモータである。この駆動モータ４の回転軸に歯車４０が固定されている。
【００２８】
昇降用歯車５は歯車４０と歯合している。この昇降用歯車５に巻取具１２が同軸状に取り付けられて、一体回転が可能である。
【００２９】
変速用歯車６は昇降用歯車５の回転量に対するピニオン７の左右方向への移動量を調整するものであり、ピニオン７と昇降用歯車５の間にあて加速の程度を調整することができる。
【００３０】
ピニオン７は変速用歯車６と歯合するとともに、ラック８に歯合している。
【００３１】
ラック８はその長手方向が水平方向になるように設置され、ラック８の左右方向への駆動に伴い、ピニオン７が回転する。ラック８は、ギアカバー１３に形成された水平なボス１５にスライド可能に嵌合し、水平方向にスライドが可能である。
【００３２】
バネ９はその一端がギアカバー１３に設けたフック形状の係止部１６に固定され、他端はラック８に固定されていて、ラック８の左右方向への移動に伴い、伸縮するようになっている。
【００３３】
滑車機構Ｋの滑車１０は、回転可能にガイド部２の上部及び下部に複数個（ここでは３個）が取り付けられ、巻掛部材１１が巻き掛けられている。
【００３４】
ここでは、巻掛部材１１としては、ワイヤを採用した。この巻掛部材１１は末端が昇降体３に固着されている。
【００３５】
巻取具１２はボビン形状の巻き取り装置であり、巻掛部材１１を巻き取ったり、引き出したりするもので、巻掛部材１１の基端を固定する固定板１７が取り付けられている。
【００３６】
巻掛部材１１が垂直方向に張設され、駆動モータ４による昇降用歯車５の回転に伴い、垂直方向に移動するようになっている。
【００３７】
その他、ギアカバー１３が取付台１４に設けられている。この取付台１４にガイド部２、駆動モータ４、滑車機構Ｋ、ギアカバー１３は固定されている。昇降用歯車５、巻取具１２、変速用歯車６、ピニオン７は、回転可能又は移動可能にギアカバー１３に取り付けられている。さらに、昇降体３の上限位置を検出する位置検出センサ１８、昇降体３の下限位置を検出する位置検出センサ１９が設けられ、これらのセンサ１８、１９により位置検出に伴い、駆動モータ４の制御を行う。
【００３８】
次に本実施形態の演出装置１の動作を説明する。昇降体３が、駆動モータ４により巻掛部材１１が巻き取られる際の引張力とバネの弾性復元力（伸張したバネが戻ろうとする力）で加速しながら上昇するこが特徴的動作である。駆動モータ４の駆動力による昇降体３の上昇速度をバネ９の働きで援助し加速することにより、遊技の趣向性を高めるとともに、駆動モータ４が高速で回転しても負荷が適正であるため、故障を防止できる。昇降体３が上昇するときは、駆動モータ４で巻掛部材１１が巻取具１２に巻き取られるとともに、引張状態のバネ９が弾性復元力で元の状態に戻ろうとするためラック８に力が働く。
【００３９】
ラック８はピニオン７によって駆動され、昇降体３の上昇量に対応してラック８の移動量が規定される。
【００４０】
図２に示す昇降体３の下端位置においては、バネ９は伸張状態になっており、昇降体３を上げるときにバネ９が元に戻ろうとする弾性復元力がラック８に働き、その弾性復元力がピニオン７、変速用歯車６を介して昇降用歯車５に伝わり、支援することで、昇降体３の高速化を実現できる。
【００４１】
一方、昇降体３が下降するときは、図３に示す通り、駆動モータ４が逆回転し、駆動モータ４で巻掛部材１１を巻取具１２から引き出し、バネ９が引き伸ばされるため、ラック８にバネ９の力が働き、昇降体３に自重が負荷されながら駆動モータ４で下降する。
【００４２】
前記の昇降体３の加速された高速度の上昇について、遊技機での遊技との関連性を説明する。まず、パチンコ遊技機についての図示及び説明は省略し、第１種パチンコ遊技機に適用した一例を説明する。例えば、始動口への遊技球の落入を契機として抽選が実行され、当否抽選後、大当たりであると判定されると、特別図柄の変動表示が停止されたときの態様にて当否抽選の結果を示し、特別遊技が開始されて、大入賞口が開放状態となり、開閉動作を複数回数連続して継続する遊技となる。このとき、昇降体３が点灯又は点滅しながら、加速上昇を行う。大当たり予告の場合に昇降体３の昇降を実施してもよい。大当たりのうち、確率変動当たりが発生するときに昇降体３を上昇加速してもよい。
【００４３】
表示装置（図示略）は、特別図柄の変動表示と連動する形態で演出図柄を変動表示する液晶ディスプレイであり、これをセンター役物が取り囲む構造である。この液晶ディスプレイの前面を昇降体３が加速上昇するようにすれば、趣向性が高くなる。また、特別遊技に限らず、遊技の進行に応じて発生する適宜の事象を動作条件として昇降体３の加速上昇を設定することが可能である。その他、上記に限らず、種々成る態様で演出装置１を用いた遊技を実施できる。
【００４４】
以上の演出装置１によれば、駆動モータ４から昇降用歯車５、変速用歯車６、ピニオン７、ラック８を配置し、ラック８にバネ９でテンションをかけることにより、ラック８の移動が行われる。これにより、昇降体３の上昇移動速度を加速し、昇降体３の動きを高速化でき、遊技者は昇降体３の高速度の昇降に一目で注意を惹きつけられ、演出の趣向性を高めることができる。また、遊技演出の幅を拡大でき、様々な演出を可能にできる。さらに、駆動モータ４への負担を軽減でき、故障を防止できる。
【００４５】
昇降用歯車５と巻取具１２が一体に構成されたので、昇降機構の構造が簡素となる。
【００４６】
巻掛部材１１が垂直方向に張設され垂直方向に移動するので、昇降体３の一層の高速化が実現できる。
【００４７】
本実施形態は、遊技機の遊技盤に取り付けられることに適用することもできるが限定されるわけではなく、枠、装飾体等の部品のほかに、組立体であるパチンコ遊技機、その他、種々の態様で実施可能である。また、実施形態の各種構成要素の形状、構造は種々なる態様で実施可能である。さらに、本発明の適用範囲は、一般のパチンコ機に限定されず、例えば、アレンジボール遊技機、スロットマシン等、種々の遊技機の昇降演出装置に本発明を適用することが可能である。
【符号の説明】
【００４８】
１・・・遊技機用昇降演出装置
２・・・ガイド部
３・・・昇降体
４・・・駆動モータ
５・・・昇降用歯車
６・・・変速用歯車
７・・・ピニオン
８・・・ラック
９・・・バネ
１０・・・滑車
１１・・・巻掛部材
１２・・・巻取具
Ｋ・・・滑車機構
１３・・・ギアカバー
１４・・・取付台
１５・・・ボス
１６・・・係止部
１７・・・固定板
１８、１９・・・位置検出センサ
２０、２１・・・カバー
３０，３１・・・アーム
３２・・・盤状体
３３，３４・・・スライダー
３５・・・案内バー
３６、３７・・・固定部
４０・・・歯車
【図１】
0006314362.tif 000002
【図２】
0006314362.tif 000003
【図３】
0006314362.tif 000004